(57)【要約】【課題】パッティングの上達の秘訣は、凸凹や傾斜のない平らな芝で横揺れ、蛇行しないボールを打つ練習をし、ターゲットラインに正しくヒットされたボールの正確な転がりを知ることが基本である。次に応用として実際のグリーンに近いアップダウン、アンジュレーションを考えて自分のイメージどおりの距離感、ボールの転がり、方向性を考えたストロークの練習をすることである。ところが従来のマットの多くは、一枚の合成繊維製シートでできているために床の凸凹や傾斜に左右されて、正しい回転、方向性が得られず、どのような打ち方が正しいのか間違いなのか迷い、自分のパッティングスタイルを見失う原因となる。【解決手段】本考案の帯状のゴルフパッティング練習用マットは、簡単な作業でマット自体を平らな面、傾斜の面、凸の面、凹の面に変形させることができる。なお一定の間その状態を維持することができ、また手や指でマットの表面、裏面をならすと簡単に元に戻すことができる。【選択図】　　　図１
0003097583.tif 000002
【実用新案登録請求の範囲】
【請求項１】
表面に合成繊維製シートを、芯に鉛板のシート或いは類似する塩化ビニール基材・アスファルト基材を使用した制振遮音シートを、裏面に軟質ゴム板のシートを貼り合せた三層構造のゴルフパッティング練習用マット。
【請求項２】
実用新案登録請求の範囲第１項に記載のものにおいて、帯状のマットでマット自体を変形することができ、一定の間その状態を維持し、さらに簡単に元に戻すことができるゴルフパッティング練習用マット。
【考案の詳細な説明】
【０００１】
【考案の属する技術分野】
本考案はゴルフパッティング練習用マットの改良に関し、パッティングのストロークの正確性を追求し、実際のグリーンと同じ感覚で練習を実践体得するとともに、住宅やオフィスの省スペース内においておこなうようにすることを目的とする。
【０００２】
【従来の技術】
ゴルフパッティングの練習方法としては、数多くの教則本やレッスンプロによる指導に至るまで色々あるが、一般のアマチュアゴルファーは、毎日グリーンで練習することは無論不可能であり、当然室内で練習することになる。そのような理由から比較的簡単なパッティング練習用マットが最近数多く考案されている。
【０００３】
これらのパッティング練習用マットは、合成繊維製シートで帯状のマットの端にカップの穴を設けてボールを入れるものや、同じ合成繊維製シートのマットでも実際のグリーンに近いアップダウンやアンジュレーションを作れるもの、またパッティング後のボールの軌跡を確認できるものが既に知られている。
【０００４】
【考案が解決しようとする問題点】
パッティングの上達の秘訣は、凸凹や傾斜のない平らな芝で横揺れ、蛇行しないボールを打つ練習をし、ターゲットラインに正しくパットされたボールの正確な転がりを知ることが基本である。次に応用として実際のグリーンに近いアップダウン、アンジュレーションを考えて自分のイメージどおりの距離感、ボールの転がり、方向性を考えたストロークの練習をすることである。
【０００５】
ところが上記した従来の帯状のゴルフパッティング練習用マットは、一枚の合成繊維製シートでできているために一般住宅の室内で使用すると、平らな床がすくなく、せっかく正しくヒットされたボールも、床の凸凹や傾斜に左右されて、正しい回転、正しい方向性が得られない。このような状態で練習を続けていると、どのような打ち方が正しいのか間違いなのか迷い、自分のパッティングスタイルを見失う原因となる。
【０００６】
またアップダウンやアンジュレーションを作れるマットのなかには、マットの裏側や中に装着した調整用金具で表面を水平、傾斜、凸凹に調整できるが、マット自体の厚みを増すことになるので、マットの厚みが１０ｍｍ以上増すとクラブを１０ｍｍ以上短く握るのと同じことになり、通常のアドレスの姿勢を変えることになるので、自分の正しいアドレスの姿勢を見失う原因となる。もっと簡単に、パッティング練習用マット自体で自由自在に実際のグリーンに近いアップダウン、アンジュレーションが作れるマットがないか。
【０００７】
【課題を解決するための手段】
本考案は上記した従来品の問題点を解決するとともに、パッティング上達のための基本ストロークを体得するために理想的なゴルフパッティング練習用マットを開発するに至ったものである。具体的には表面に帯状の合成繊維製シートを、芯に同じ巾、同じ長さの材料で柔らかく変形しやすく簡単に元の状態に戻せる素材の鉛板シート或いは類似する塩化ビニール基材・アスファルト基材を使用した制振遮音シートを、さらに裏面にゴム板シートを貼り合せた３層構造を特徴とするゴルフパッティング練習用マットに関する。
【０００８】
以下において本考案の具体的な内容を図示の一実施例をもとにして説明すると、１ａはマットの表面の合成繊維製シート、１ｂはマットの芯の鉛板シート或いは類似する塩化ビニール基材・アスファルト基材を使用した制振遮音シート、１ｃはマットの裏面のゴム板シートを示す。
【０００９】
マット表面１ａの合成繊維製シートはナイロン、ポリエステル、或いは類似の素材をパイル状にＰＣＶフォームを架台に織ったシートである。
【００１０】
マット芯１ｂの鉛板シート或いは類似する塩化ビニール基材・アスファルト基材を使用した制振遮音シートは、表面の合成繊維製シートに貼り合せることで合成繊維製シートの波うちを修正することができる。
【００１１】
また手や指で上から下に押し付けると変形しそのままの状態を一定の間保つことができ、さらにその状態のシートを手や指でなぞると変形状態が元に戻る素材で、マットの表面の合成繊維製シートと貼り合せると相乗効果でマットの表面を水平、傾斜、凸凹、に変形させることが簡単にできる。
【００１２】
マット裏面１ｃは、軟質ゴムシートでマットの芯と貼り合わせると適度な重量があり、一般住宅の室内のどのような場所でのパッティング練習中も、マットは床に適度にフィットして、ずれることなく楽しく練習できる。
【００１３】
また本考案マットの芯に使用している制振遮音シートとマットの裏面に使用している軟質ゴム板のシートの相乗効果により、本考案マットでパットされたボールの転がる音は、合成繊維製シートのみでパットしたボールの転がる音と違い、がさつかず滑らかな音となる。
【００１４】
【考案の実施の形態】
上記した構成においての実施例
床が傾斜、凸凹している場所では、正しくパットしたボールも正しい方向、正しい回転はえられない。そのような時は、本考案の帯状のマットをロール状態に巻いて置き、床に敷くと床の状態に関係なくマット自体で表面を水平に保つことができる。
【００１５】
またボールを手で持って本考案の帯状マットの表面をボールの進む方向に向かって上から下に押し付けながら滑らすと、マットの表面にボールの軌跡ができる。そのマットの表面でボールを正しくパットするとボールは、その軌跡のライン上を正しい回転をしながら進み、ミスパットのボールは横揺れして正しいラインからはずれることになる。この方法を駆使して、ストレートライン、スライスライン、フックラインを作り出し自分のイメージどおりのタッチやストロークをそれぞれのラインで練習できる。
【００１６】
さらにプロやシングルゴルファーは、本考案の帯状のマットを裏返し、ボールを手で持ってマットの裏側をボールの進む方向に向かって上から下に押し付けながら滑らし、マットの表面にボールと同じ幅の凸のラインを作ると、より高度なストロークを体得できる。逆にアベレージゴルファーは、マットの表面をボールと手で凹の面を作ると、ボールが正しい回転をしていなければ横揺れして蛇行するので正しいボールの回転を得るためのストロークを体得できる。
【００１７】
またマットの表面を平らにするとカップインの３要素である距離感、ボールの転がり、方向性を体得できる。
【００１８】
マット表面の合成繊維製シート上にボールと指で作ったボールの軌跡のラインは、本考案のマットの特長であるマットの芯に使用している鉛板シート或いは類似する塩化ビニール基材・アスファルト基材を使用した制振遮音シートと、裏面に使用している軟質ゴムの相乗効果により平らな面にほんの少し浅いＵ字のわだちを作ることができるために、正しいボールの回転と距離に見合った正しいスピードが一致しないとボールは横揺れ蛇行する。よってボールの正しい転がり、正しいスピード、正しい方向を得るためのストロークの方法を体得できる。
【００１９】
本考案の帯状のマットは、手で簡単に変形させられるので実際のグリーンをイメージしたアップダウンやアンジュレーションを簡単に作れる。また床の上に身近にある本やタバコケース・鉛筆やボールペン・コインなどを配置しその上に本考案のマットを敷くと実際のグリーンをリアルに作れる。
【００２０】
【考案の効果】
本考案は上記したように帯状のパッティング練習用マットで、合成繊維製シートを表面に、マットの芯には指で簡単に変形可能な鉛板シート或いは、類似する塩化ビニール基材・アスファルト基材を使用した制振遮音シートを、裏面には軟質ゴムシートを貼り合わせた３層構造のマットで、簡単な作業でマット自体が水平な面、傾斜の面、凸の面、凹の面に変形させることができる。なお一定の間その状態を維持することができる。また手のひらや指、または一般に市販されている粘着カーペットクリーナー等のローラーでマットの表面、裏面をならすと簡単に元に戻すことができるために従来のゴルフパター練習用マットより実際のグリーンに近いアップダウンやアンジュレョンの状態を簡単に住宅やオフィスの室内に作ることができる。
【００２１】
パッティング後のボールの軌跡を確認できるマットは既にあるが、パッティングを始める前にアップダウンやアンジュレーションを考えてマット自体の変形で自分のイメージどおりのストレートライン・スライスライン・フックラインを作るマットは他にないと思われる。
【００２２】
本考案のマットは、多くのプロゴルファーがスタート前に実際のグリーンでの練習方法と同じパッティングのタッチやストロークの練習を体得できます。
【００２３】
【図面の簡単な説明】
【図１】本考案ゴルフパッティング練習用マットの表面斜視図である。
【図２】本考案ゴルフパッティング練習用マットの裏面斜視図である。
【図３】本考案ゴルフパッティング練習用マットの使用状況の１例を示す全体斜視図である
【図４】Ａ−Ａ’拡大説明斜視図
【図５】Ｂ−Ｂ’拡大説明斜視図
【符号の説明】
１ゴルフパッティング練習用マットの本体
１ａ合成繊維製シート
１ｂ鉛板シート或いは類似する塩化ビニール基材・アスファルト基材を使用した制振遮音シート
１ｃ軟質ゴムシート
２ストレートラインのボールの軌跡
３スライスラインのボールの軌跡
４フックラインのボールの軌跡
【図１】
0003097583.tif 000003
【図２】
0003097583.tif 000004
【図３】
0003097583.tif 000005
【図４】
0003097583.tif 000006
【図５】
0003097583.tif 000007